(57)【要約】【課題】装置の導入に際して、基板に関する作業を効率よく実施する。【解決手段】基板収容箱１の表示部３は、装置内部表示部３１及びディスプレイ３２からなる。装置内部表示部３１は、装置の内部、主として基板対応部３１１を表示する。基板対応部３１１は、装置内部に挿入された各基板の位置を表示し、基板名称３１２、基板ボタン３１３及びアラームボタン３１４を備える。基板名称３１２は、当該基板の名称を示す。基板ボタン３１３は、どの基板にも対応し、作業者がこれを押すと、ディスプレイ３２に基板の機能や仕様、装置への挿抜方法、スイッチの設定方法等が表示され、図示しない基板収容箱１の側面において基板の収容位置を示すランプが点灯する。アラームボタン３１４は、アラームランプを有する基板に対応し、作業者がこれを押すと、ディスプレイ３２に当該基板のアラームランプが点灯した場合の、基板の故障対応等が表示される。【選択図】図４
2009289912.tif 000002
【特許請求の範囲】
【請求項１】
所定の装置に用いられる基板を収容するための基板収容箱であって、
前記装置に前記基板が挿入された状態を示す図を表示する表示部と、
前記表示部に開閉自在に接続され、外側の面に装置概観図が掲載された開閉部と、
を備え、
前記表示部は、
表示された基板の図ごとに設けられた第１のボタンと、
前記第１のボタンが押されたときに当該基板の挿抜及び設定に関する情報を表示するディスプレイと、
を有する
ことを特徴とする基板収容箱。
【請求項２】
請求項１に記載の基板収容箱であって、
前記表示部は、
前記基板のうち、アラームランプを備える基板の図ごとに設けられた第２のボタンをさらに有し、
前記ディスプレイは、
前記第２のボタンが押されたときに当該基板の故障対応に関する情報を表示する
ことを特徴とする基板収容箱。
【請求項３】
請求項１又は請求項２に記載の基板収容箱であって、
１つの前記基板を収容する筐体の内面にクッション材が設けられ、当該基板に対応する前記第１のボタンが押されたときに点灯するランプが設けられた複数の収容ケース
をさらに備えることを特徴とする基板収容箱。
【請求項４】
請求項１又は請求項２に記載の基板収容箱であって、
１つの前記基板を収容する筐体の内面にクッション材が設けられ、当該基板に対応する前記第１のボタンが押されたときに開く扉が設けられた複数の収容ケース
をさらに備えることを特徴とする基板収容箱。
【請求項５】
請求項１又は請求項２に記載の基板収容箱であって、
前記開閉部は、内側の面に、前記ディスプレイに電力を供給するソーラーパネルを有する
ことを特徴とする基板収容箱。
【発明の詳細な説明】
【技術分野】
【０００１】
本発明は、装置に用いられる基板に関する取扱方法等を表示する基板収容箱に関する。
【背景技術】
【０００２】
電力や通信等に関連する装置を導入すると、その装置の規模、構造の複雑さや機能の多さ等に応じた物量の取扱説明書が添付されてくる。その取扱説明書を参照し、確認しながら、装置や基板の設定、保守の作業を実施することになる。
【０００３】
一方、装置の故障時に用いられる予備基板は、多種類の装置のものが１つの棚に入れられて保管されている。そして、その予備基板の運搬は、クッション材等に包んで行われる。
【特許文献１】特開平４−２６０９９５号公報
【発明の開示】
【発明が解決しようとする課題】
【０００４】
ところで、装置の構造や機能等によっては取扱説明書が相当分厚くなることがあり、そういう場合には、必要な情報を取得するまでに時間がかかってしまう。また、取扱説明書は、平面に説明内容が書かれているので、現物の立体的なイメージが把握し難い。  
一方、予備基板が１つの棚に保管されていて、多種類の装置のものが混在するので、収容先を間違えると、どれがどの装置の基板なのかが分からなくなる可能性がある。また、予備基板を運搬する際に、その基板を損傷させるおそれがある。  
なお、特許文献１には、使用説明書や収納箱の保管と、プリント基板の保護を同時に行える防災受信機について開示されている。
【０００５】
本発明は、上記課題を鑑みてなされたものであり、その主たる目的は、装置の導入に際して、基板に関する作業を効率よく実施することにある。
【課題を解決するための手段】
【０００６】
上記課題を解決するために、本発明は、所定の装置に用いられる基板を収容するための基板収容箱であって、前記装置に前記基板が挿入された状態を示す図を表示する表示部と、前記表示部に開閉自在に接続され、外側の面に装置概観図が掲載された開閉部と、を備え、前記表示部が、表示された基板の図ごとに設けられた第１のボタンと、前記第１のボタンが押されたときに当該基板の挿抜及び設定に関する情報を表示するディスプレイと、を有することを特徴とする。  
この構成によれば、基板収容箱に係る装置の概観図を参照し、確認することができるので、作業者は当該装置に間違いなく辿り着くことができる。また、基板が分かればすぐに、基板の挿抜及び設定に関する情報を参照できるので、基板の設定作業を容易に効率よく実施することができる。
【０００７】
また、本発明は、基板収容箱であって、前記表示部が、前記基板のうち、アラームランプを備える基板の図ごとに設けられた第２のボタンをさらに有し、前記ディスプレイが、前記第２のボタンが押されたときに当該基板の故障対応に関する情報を表示することを特徴とする。  
この構成によれば、アラームランプの点灯した基板が分かればすぐに、基板の故障対応に関する情報を参照できるので、基板の保守作業を容易に効率よく実施することができる。
【０００８】
また、本発明は、基板収容箱であって、１つの前記基板を収容する筐体の内面にクッション材が設けられ、当該基板に対応する前記第１のボタンが押されたときに点灯するランプが設けられた複数の収容ケースをさらに備えることを特徴とする。  
この構成によれば、目的とする基板の図にあるボタンを押すと、当該基板の収容された収容ケースのランプが点灯するので、必要な基板の位置が分かり、すぐに取り出すことができる。また、収容ケースの筐体の内面にクッション材が設けられるので、基板を損傷させることなく安全に運搬することができる。
【０００９】
また、本発明は、基板収容箱であって、１つの前記基板を収容する筐体の内面にクッション材が設けられ、当該基板に対応する前記第１のボタンが押されたときに開く扉が設けられた複数の収容ケースをさらに備えることを特徴とする。  
この構成によれば、目的とする基板の図にあるボタンを押すと、当該基板の収容された収容ケースの扉が開くので、必要な基板の位置が分かり、すぐに取り出すことができる。また、収容ケースの筐体の内面にクッション材が設けられるので、基板を損傷させることなく安全に運搬することができる。
【００１０】
また、本発明は、基板収容箱であって、前記開閉部が、内側の面に、前記ディスプレイに電力を供給するソーラーパネルを有することを特徴とする。  
この構成によれば、開閉部を開いたときにソーラーパネルと表示部のディスプレイが露わになるので、ソーラーパネルからディスプレイに電力を供給することができ、バッテリー等の電源が不要になる。
【００１１】
なお、その他、本願が開示する課題及びその解決方法は、発明を実施するための最良の形態の欄、及び図面により明らかにされる。
【発明の効果】
【００１２】
本発明によれば、装置の導入に際して、基板に関する作業を効率よく実施することができる。
【発明を実施するための最良の形態】
【００１３】
以下、図面を参照しながら、本発明を実施するための最良の形態を説明する。本発明の実施の形態に係る基板収容箱は、所定の装置に用いられる基板を収容した箱であり、装置内部の概観図上に設けられた基板ごとのボタンが押されると、基板の仕様や故障に関する情報を表示し、基板の収容位置を通知するものである。これによれば、当該装置や基板の設定、保守の作業を行う際に基板収容箱を持って行くことによって、すぐに目的とする基板を取り出すことができ、当該基板の作業に必要な情報を参照できるので、誰でも即座に対処することができる。
【００１４】
≪基板収容箱の概観≫
図１は、基板収容箱１の概観を示す斜視図である。基板収容箱１は、開閉部２、表示部３及び収容ケース４を備える。開閉部２は、その端部（図１に向かって開閉部２の左端）において開閉自在になるように表示部３と接続され、その外側の面には装置概観図２１が掲載されている。装置概観図２１は、基板収容箱１に収容された基板が用いられる装置の概観を示す図（例えば、カラー写真等）であり、基板収容箱１や収容されている基板がどの装置のものであるかを明確にするものである。これによれば、作業者は、装置概観図２１を参照することによって、設定や保守の対象である装置に間違いなく辿り着くことができる。表示部３は、基板に関する情報を表示するものである。収容ケース４は、基板を１枚ずつ収容するケースであり、当該装置に必要な基板の枚数分備え付けられる。図１に向かって右側から基板を挿入し、収容することになる。
【００１５】
図２は、開閉部２を開いた場合の基板収容箱１の概観を示す正面図である。開閉部２の内側の面には、ソーラーパネル２２が設置され、表示部３に電力供給を行う。一方、表示部３の面には、装置内部表示部３１及びディスプレイ３２が設置されている。装置内部図表示部３１は、装置の内部、特に基板が挿入された状態が明確になるような図を表示する。ディスプレイ３２は、装置内部図表示部３１に対する操作に応じて、基板の機能仕様、挿抜方法、スイッチの設定方法、故障状態や対応方法等を表示する。
【００１６】
基板収容箱１は、取扱説明書としての機能も有する。すなわち、開閉部２の外側の面を取扱説明書の表紙とし、その表紙に装置の概観図が示されている。そして、表紙をめくったときの、表示部３を１ページ目とし、その１ページ目に装置内部の概観図が示されている。さらに、１ページ目の下部にあるディスプレイ３２には、基板に関する情報が表示される。
【００１７】
≪基板収容箱の構造と機能≫
図３は、開閉部２の装置概観図２１の具体例を示す図である。装置の一例として、光伝送装置の概観が示されている。これによれば、作業者は、間違いなく光伝送装置に辿り着くことができる。
【００１８】
図４は、表示部３の具体例を示す図である。装置内部表示部３１は、光伝送装置の内部を示し、主として、基板対応部３１１を表示している。基板対応部３１１は、実際の装置内部に挿入された各基板の位置に対応する表示を行う部分であり、基板名称３１２、基板ボタン（第１のボタン）３１３及びアラームボタン（第２のボタン）３１４を備える。基板名称３１２は、当該基板の名称を示す。基板ボタン３１３は、どの基板にも対応するボタン（例えば、青色のボタン）であり、作業者がこれを押すと、ディスプレイ３２に基板の機能や仕様の説明、装置への挿抜方法、スイッチの設定方法等が表示される。アラームボタン３１４は、アラームランプを有する基板に対応するボタン（例えば、赤色のボタン）であり、作業者がこれを押すと、ディスプレイ３２に当該基板のアラームランプが点灯した場合の、基板の故障状態やその対応方法等が表示される。
【００１９】
図５及び図６は、表示部３のディスプレイ３２に表示される画面の例を示す図である。図５の画面は、表示部３の装置内部図表示部３１において、基板対応部３１１のうち、基板名称３１２が「４ＷＶＡ１」の基板ボタン３１３が押された場合に表示される。この画面には、当該基板の機能及び装置からの抜き取り方が表示されている。その画面の右下には、表示切替ボタン３２１が表示される。表示切替ボタン３２１は、タッチパネルのボタンになっていて、作業者が指やタッチペンで押すことによって、画面の表示が次ページへ切り替えられる。図６の画面は、図５の画面において表示切替ボタン３２１が押された場合に表示される。この画面には、当該基板のスイッチの設定内容が表示されている。その画面の右下には、表示切替ボタン３２２が表示される。表示切替ボタン３２２は、タッチパネルのボタンになっていて、作業者が指やタッチペンで押すことによって、画面の表示が前ページへ切り替えられる。すなわち、図５の画面は、図６の画面において表示切替ボタン３２２が押された場合にも表示される。
【００２０】
図７は、基板収容箱１の側面図である。基板収容箱１は、図面に向かって左側から、開閉部２、表示部３及び複数の収容ケース４を備える。収容ケース４の扉４２には、ランプ４４が設置され、基板名称４５が表示される。ランプ４４は、表示部３の基板対応部３１１のうち、対応する基板ボタン３１３が押された場合に点灯するものである。これにより、必要な予備基板を間違いなく取り出すことができる。基板名称４５は、当該収容ケース４に収容されている予備基板の名称を示すものであり、当該基板の番号を含んでいてもよい。ランプ４４が点灯しているときに、その下方に表示されている基板名称４５を確認することによって、目的とする予備基板を間違いなく取り出すことができる。
【００２１】
図８は、収容ケース４の側面図である。収容ケース４は、筐体４１及び扉４２からなる。筐体４１は、基板を収容する入れ物であり、その内部にはクッション材４６が付けられ、収容された基板に衝撃が加わらないようになっており、また、帯電防止剤等によって静電防止対策が施されている。扉４２は、筐体４１に開閉自在に接続され、筐体４１側の扉固定金具４３によって固定される。また、扉固定金具４３によって固定された扉４２を押すと、開くようになっている。なお、既に説明したように、扉４２には、ランプ４４が設置され、基板名称４５が表示される。
【００２２】
図９は、基板収容箱１の制御システム５を示すブロック図である。制御システム５は、表示部３の装置内部図表示部３１に設置されたボタンが押されたのをトリガとして、ディスプレイ３２に基板や故障に関する情報を表示したり、収容ケース４のランプ４４を点灯させたりするシステムである。制御システム５は、装置内部図表示部３１の各基板対応部３１１、ディスプレイ３２、処理部３３、記憶部３４及び収容ケース４の各ランプ４４から構成される。処理部３３は、各基板対応部３１１、ディスプレイ３２、記憶部３４及び各ランプ４４と通信可能になっていて、ボタンの押下をトリガにデータを受信し、そのデータに従って、情報の表示やランプの点灯を指示する。処理部３３は、ＣＰＵ（Central Processing Unit）が所定のメモリに格納されたプログラムを実行することによって実現される。
【００２３】
記憶部３４は、基板名称３４１及び基板情報３４２を含むレコードを記憶する。そのレコードには、アラーム情報３４３を含むものと含まないものがある。基板名称３４１は、基板対応部３１１に表示された基板名称３１２がコード化されたデータである。基板情報３４２は、基板の機能仕様、挿抜方法、スイッチの設定方法等の情報である。アラーム情報３４３は、アラームランプを有する基板の故障状態や対応方法等の情報である。記憶部３４は、処理部３３からデータを記憶したり、記憶したデータを読み出したりするものであり、フラッシュメモリやハードディスク装置等の不揮発性記憶装置によって実現される。具体例として、記憶部３４は、当該装置の取扱説明書のデータを記憶していて、基板名称ごとに、取扱説明書における基板情報のページ及びアラーム情報のページを記憶しておく。これにより、処理部３３は、基板名称データ及びボタン識別フラグを受信したときに、記憶部３４の取扱説明書のデータから、基板名称に対応する基板情報又はアラーム情報を取得することができる。なお、処理部３３及び記憶部３４は、表示部３に内蔵されていてもよいし、外付けされていてもよい。
【００２４】
次に、制御システム５の動作について説明する。まず、基板対応部３１１の基板ボタン３１３又はアラームボタン３１４が押された場合、基板名称３１２を示す基板名称データと、基板ボタン３１３及びアラームボタン３１４のうち、いずれが押されたかを示すボタン識別フラグとが、基板対応部３１１から処理部３３に送信される（Ｓ１）。処理部３３は、基板名称データ及びボタン識別フラグを受信し、ボタン識別フラグに応じて、基板名称データが示す基板名称３４１に対応する基板情報３４２又はアラーム情報３４３を記憶部３４から読み出す（Ｓ２）。そして、読み出した基板情報３４２又はアラーム情報３４３をディスプレイ３２に送信し、表示するように指示する（Ｓ３）。さらに、ボタン識別フラグが基板ボタン３１３を示す場合には、該当するランプ４４に点灯を指示する（Ｓ４）。
【００２５】
実際の基板収容箱１の使い方としては、例えば、装置が故障している現場に行くと、故障した基板に赤いアラームランプが点灯している。そこで、基板収容箱１の表示部３において、当該アラームボタン３１４を押すと、ディスプレイ３２に当該基板の故障対応に関する情報が表示される。その故障対応の内容が基板交換であれば、当該基板ボタン３１３を押す。そうすると、当該基板が収容された収容ケース４のランプ４４が点灯するとともに、ディスプレイ３２に当該基板の挿抜及び設定に関する情報が表示される。そこで、ランプ４４が点灯した収容ケース４から基板を取り出し、ディスプレイ３２に表示された情報に従って、当該基板の設定及び装置への挿抜を行う。
【００２６】
以上説明した本発明の実施の形態によれば、装置の基板に関して必要な情報を素早く取得することができるので、装置の導入や保守の作業時間を短縮することができる。装置が故障した場合には、基板収容箱１を現場に持って行くことによって、一次対応を即座に行うことができる。基板を１個ごとに別の収容ケース４に収容し、その収容ケース４の内面にはクッション材が設けられるので、基板を安全に運搬することができる。
【００２７】
以上によれば、装置の信頼度向上、業務処理の効率化及び安全性の向上を図ることができる。
【００２８】
≪その他の実施の形態≫
以上、本発明を実施するための最良の形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、以下のような実施の形態が考えられる。
【００２９】
（１）上記実施の形態では、基板ボタン３１３が押されると、該当する収容ケース４のランプ４４が点灯するように記載したが、例えば、該当する収容ケース４の扉４２が開くようにしてもよい。さらに、収容ケース４の扉４２が開いた後に、筐体４１に収容されている基板が出てくるようにしてもよい。
【００３０】
（２）上記実施の形態では、開閉部２のソーラーパネル２２が表示部３の電源であるように記載したが、バッテリーを設けて表示部３の電源としてもよい。
【図面の簡単な説明】
【００３１】
【図１】基板収容箱１の概観を示す斜視図である。
【図２】開閉部２を開いた場合の基板収容箱１の概観を示す正面図である。
【図３】開閉部２の装置概観図２１の具体例を示す図である。
【図４】表示部３の具体例を示す図である。
【図５】表示部３のディスプレイ３２に表示される画面の例を示す図である。
【図６】表示部３のディスプレイ３２に表示される画面の例を示す図である。
【図７】基板収容箱１の側面図である。
【図８】収容ケース４の側面図である。
【図９】基板収容箱１の制御システムを示すブロック図である。
【符号の説明】
【００３２】
１    基板収容箱
２  開閉部
２１  装置概観図
２２  ソーラーパネル
３  表示部
３１  装置内部表示部
３１１  基板対応部
３１２  基板名称
３１３  基板ボタン（第１のボタン）
３１４  アラームボタン（第２のボタン）
３２  ディスプレイ
４  収容ケース
４２  扉
４４  ランプ
４６  クッション材
５  制御システム
【図１】
2009289912.tif 000003
【図２】
2009289912.tif 000004
【図４】
2009289912.tif 000005
【図５】
2009289912.tif 000006
【図６】
2009289912.tif 000007
【図７】
2009289912.tif 000008
【図８】
2009289912.tif 000009
【図９】
2009289912.tif 000010
【図３】
2009289912.tif 000011